(57)【要約】【課題】装置構成及び処理方法を複雑化させることなく、一定時間の放置でアプリケーションを終了させることを可能にする。【解決手段】周辺の照度を検知する照度センサー１０５と、照度センサー１０５により検知された照度が予め定められた規定値以下のときに、動作中のアプリケーションを終了させて、省電力モードに遷移させる中央制御部１０１を有する携帯端末装置。【選択図】図１
2014017874.tif 000002
【特許請求の範囲】
【請求項１】
所定の表示を行う表示手段と、
周辺の照度を検知する照度検知手段と、
前記照度検知手段により検知された照度が予め定められた規定値以下のときに、動作中のアプリケーションを終了させて、前記表示手段の画面表示をオフするか又はバックライトをオフする省電力モードに遷移させる制御手段と、
所定の表示を行う表示手段と、
所定の時間を計測するタイマ手段を有し、
前記制御手段は、前記照度検知手段により検知された照度が予め定められた規定値以下のときに、前記タイマ手段を起動させ、所定の時間が経過したときに、前記表示手段に前記動作中のアプリケーションを継続するか否かの警告画面を表示し、
前記表示手段に前記警告画面を表示後、応答がない場合には、前記制御手段は、前記動作中のアプリケーションを終了させて前記省電力モードに遷移させることを特徴とする携帯端末装置。
【請求項２】
所定の表示を行う表示手段と、
周辺の照度を検知する照度検知手段と、
前記照度検知手段により検知された照度が予め定められた規定値以下のときに、動作中のアプリケーションを終了させて、前記表示手段の画面表示をオフするか又はバックライトをオフする省電力モードに遷移させる制御手段と、
所定の音を発生させる音発生手段と、
所定の時間を計測するタイマ手段を有し、
前記制御手段は、前記照度検知手段により検知された照度が予め定められた規定値以下のときに、前記タイマ手段を起動させ、所定の時間が経過したときに、前記音発生手段に前記動作中のアプリケーションを継続するか否かの警告音を発生させ、
前記音発生手段に前記警告音を発生後、応答がない場合には、前記制御手段は、前記動作中のアプリケーションを終了させて前記省電力モードに遷移させることを特徴とする携帯端末装置。
【請求項３】
所定の表示を行い、
周辺の照度を検知し、
前記検知された照度が予め定められた規定値より大きいか否かを判定し、
この判定の結果、前記照度が予め定められた規定値以下のときに、動作中のアプリケーションを終了し、画面表示をオフするか又はバックライトをオフする省電力モードに遷移し、
前記検知された照度が予め定められた規定値以下のときに、所定の時間が経過したか否かを判定し、
この判定の結果、所定の時間が経過したときに、前記動作中のアプリケーションを継続するか否かの警告画面を表示し、
前記警告画面を表示後、応答がない場合には、前記動作中のアプリケーションを終了させて前記省電力モードに遷移することを特徴とする携帯端末装置の制御方法。
【請求項４】
所定の表示を行い、
周辺の照度を検知し、
前記検知された照度が予め定められた規定値より大きいか否かを判定し、
この判定の結果、前記照度が予め定められた規定値以下のときに、動作中のアプリケーションを終了し、画面表示をオフするか又はバックライトをオフする省電力モードに遷移し、
前記検知された照度が予め定められた規定値以下のときに、所定の時間が経過したか否かを判定し、
この判定の結果、所定の時間が経過したときに、前記動作中のアプリケーションを継続するか否かの警告音を発生し、
前記警告音を発生後、応答がない場合には、前記動作中のアプリケーションを終了させて前記省電力モードに遷移することを特徴とする携帯端末装置の制御方法。
【発明の詳細な説明】
【技術分野】
【０００１】
本発明は、携帯端末装置及び携帯端末装置の制御方法に関し、特に、携帯端末装置の消費電力を低減させるのに有効な携帯端末装置及び携帯端末装置の制御方法に関する。
【背景技術】
【０００２】
近年、携帯電話端末装置は、多種多様な機能を備えてシステムが複雑化している。この結果、消費電力の増加に伴い電池残量の減少が激しく、これを防ぐことは急務となっている。
【０００３】
例えば、一定時間の放置でアプリケーションを終了させる方法はあるが、ユーザの意図に反して省電力モードへ遷移することは不便である。
【０００４】
これに関連する技術として、例えば、特開２００７−２５８８０１号公報（特許文献１）がある。この特許文献１では、一定時間の放置でアプリケーション（テレビジョン放送の表示）を終了させる方法として、携帯電話端末装置の表示部の姿勢と表示方向を求めている。
【先行技術文献】
【特許文献】
【０００５】
【特許文献１】特開２００７−２５８８０１号公報
【発明の概要】
【発明が解決しようとする課題】
【０００６】
上述のように、特許文献１では、携帯電話端末装置の表示部の姿勢と表示方向を求めている。具体的には、地磁気センサー及び回転角度センサーの検出信号に基づいて、携帯電話端末装置の姿勢と表示部の表示方向を認識している。このため、装置構成及び処理方法が複雑化してしまう。
【０００７】
本発明の目的は、上述した課題を解決するための技術を提供することにあり、装置構成及び処理方法を複雑化させることなく、一定時間の放置でアプリケーションを終了させることが可能な携帯端末装置及び携帯端末装置の制御方法を提供することにある。
【課題を解決するための手段】
【０００８】
本発明に係る携帯端末装置は、
周辺の照度を検知する照度検知手段と、
前記照度検知手段により検知された照度が予め定められた規定値以下のときに、動作中のアプリケーションを終了させて、省電力モードに遷移させる制御手段を有することを特徴とする。
【０００９】
また、本発明に係る携帯端末装置の制御方法は、
周辺の照度を検知し、
前記検知された照度が予め定められた規定値より大きいか否かを判定し、
この判定の結果、前記照度が予め定められた規定値以下のときに、動作中のアプリケーションを終了し、
省電力モードに遷移することを特徴とする。
【発明の効果】
【００１０】
本発明によれば、装置構成及び処理方法を複雑化させることなく、一定時間の放置でアプリケーションを終了させることができる。
【図面の簡単な説明】
【００１１】
【図１】本発明の実施の形態に係る携帯端末装置のブロック図である。
【図２】本発明の第１の実施の形態の動作を示すフローチャートである。
【図３】本発明の第２の実施の形態の動作を示すフローチャートである。
【発明を実施するための形態】
【００１２】
本発明の実施の形態について図面を参照して詳細に説明する。
【００１３】
図１を参照して、本発明の第１の実施の形態に係る携帯端末装置（例えば、携帯電話端末装置）の構成について説明する。
【００１４】
携帯端末装置は、中央制御部１０１、アンテナ１０２、無線制御部１０３、記憶部１０４、照度センサー１０５、テレビ用アンテナ１０６、テレビチューナモジュール１０７、音声制御部１０８、ＭＩＣ（マイク）１０９、ＲＥＣ（レシーバ）１１０、ＳＰＫ（スピーカ）１１１、入力部１１２、表示部１１３、電源制御部１１４、電池１１５、タイマ１１６を有する。
【００１５】
このような構成の下、無線制御部１０３は、アンテナ１０２を介して基地局との送受信を行い、通信データは中央制御部１０１を介して処理される。
【００１６】
また、電池１１５から電源制御部１１４を介して電力を供給する。記憶部１０４には、各種のデータを保存する。入力部１１２よりキー押下情報を入力し、表示部１１３にて各種表示を行う。また、音声制御部１０８は、ＳＰＫ（スピーカ）１１１、ＲＥＣ（レシーバ）１１０及びＭＩＣ（マイク）１０９を介して各種の音情報を制御する。
【００１７】
また、照度センサー１０５から携帯端末装置の状態情報を検知し、中央制御部１０１にて演算処理される。テレビチューナモジュール１０７は、テレビ用アンテナ１０６を介して入力される電波からテレビ画像再生データを生成し、中央制御部１０１を介して処理し、表示部１１３にて再生表示を行う。タイマ（タイマ手段）１１２は、一定時間の経過を監視する。
【００１８】
ここで、通話時のデータの流れについて説明する。
【００１９】
アンテナ１０２を介して無線制御部１０３に入力される音声データは、中央制御部１０１により処理され、音声制御部１０８を介して、ＳＰＫ（スピーカ）１１１又はＲＥＣ（レシーバ）１１０へ出力される。逆に、発話音声は、ＭＩＣ（マイク）１０９から入力され、音声制御部１０８を介して中央制御部１０１にて処理され、無線制御部１０３を介してアンテナ１０２から基地局へと出力する。
【００２０】
また、データ通信時のデータの流れについて説明する。
【００２１】
入力部１１２からキーデータ等を入力し、中央制御部１０１にて処理されて記憶部１０４にて一時保存される。そして、適時、中央制御部１０１から無線制御部１０３を介してアンテナ１０２から基地局へと出力する。また、アンテナ１０２を介して無線制御部１０３に入力される通信データは、中央制御部１０１により処理され、記憶部１０４にて一時保存された後、表示部１１３に表示される。
【００２２】
なお、携帯端末装置の周辺の照度に変化が発生した場合、照度センサー１０５を介して変化情報が中央制御部１０１に入力される。中央制御部１０１は、状況に応じて、記憶部１０４へ状態を保存し、各制御部へ制御の通知を行う。
【００２３】
ここで、携帯端末装置周辺の照度に変化が発生した場合とは、例えば、携帯電話端末装置をかばんの中に入れてしまったような場合や、部屋の電気を消してしまったような場合などが想定される。
【００２４】
次に、図１及び図２を参照して、本発明の第１の実施の形態の動作について説明する。
【００２５】
まず、入力部１１２の電源キー押下により携帯端末装置の電源がＯＮされて、本体の起動処理が実行される（ステップＳ１）。
【００２６】
次に、入力部１１２の各種キー押下により、テレビアプリケーションが起動される（ステップＳ２）。
【００２７】
次に、照度センサー１０５により入力される情報から、検知された照度（輝度）が設定された一定の照度（ここではαとする）より大きいか否かを判定する（ステップＳ３）。
【００２８】
この判定の結果、設定された一定の照度（α）より大きければ、アプリケーションは継続状態と判断して前のステップに戻る。また、判定の結果、設定された一定の照度（α）以下であれば、ユーザがテレビを見ていない可能性があると判断して次のステップへ進む。
【００２９】
次に、タイマ１１６を起動させ、テレビアプリケーションの使用時間を計測する（ステップＳ４）。
【００３０】
次に、設定された一定時間を経過しているか監視する（ステップＳ５）。この監視の結果、一定時間を経過している場合には、次のステップへ進む。
【００３１】
次に、ユーザに対してアプリケーションを継続するか否かの警告画面を表示する（ステップＳ６）。
【００３２】
次に、所望のキー入力があるか否かを判定する（ステップＳ７）。この判定の結果、何らかのキー入力があり、ユーザがテレビ視聴を継続した場合には前のステップに戻る。
【００３３】
判定の結果、何らのキー入力もなく、反応が無い場合にはユーザが携帯端末装置を使用していないと判断してアプリケーションを終了する（ステップＳ８）。
【００３４】
最後に、画面表示をオフしたり、バックライトをオフするなど動作状態を最小限にする省電力モードへ遷移する（ステップＳ９）。
【００３５】
本発明の第１の実施の形態によれば、ユーザの使用有無を判断可能なので、携帯端末装置の無用な消費電力を抑制することができる。さらに、ユーザの意図を判別しているので、消費電力を効果的に抑制できる。
【００３６】
次に、本発明の第２の実施の形態について説明する。
【００３７】
第２の実施の形態に係る携帯端末装置の構成は、図１に示した第１の実施の形態に係る携帯端末装置の構成と同じなのでその説明は省略する。
【００３８】
次に、図３を参照して、本発明の第２の実施の形態の動作について説明する。
【００３９】
一定時間経過するまでの過程（図３のステップＳ５）までは、図２に示した第１の実施の形態の動作と同じなのでその説明は省略する。
【００４０】
このような状況の下、設定された一定時間を経過していた場合には、ユーザに対してアプリケーションを継続するか否かの警告音を発生する（ステップＳ６０）。このように、警告音を発生させることが、図２に示した第１の実施の形態の動作と異なる点である。
【００４１】
そして、ユーザがテレビ視聴を継続した場合には前のステップに戻り、反応が無い場合にはユーザが携帯端末装置を使用していないと判断してアプリケーションを終了する（ステップＳ８）。
【００４２】
最後に、画面表示をオフしたり、バックライトをオフするなど動作状態を最小限にする省電力モードへ遷移する（ステップＳ９）。
【００４３】
以上、本発明の実施の形態について具体的に説明したが、本発明は上述の実施形態に限定されるものではなく、本発明技術的思想に基づく各種の変形が可能である。
【００４４】
例えば、上述の実施形態では、テレビアプリケーションを例に取り説明してきたが、他のアプリケーションでも良い。
【符号の説明】
【００４５】
１０１  中央制御部
１０２  アンテナ
１０３  無線制御部
１０４  記憶部
１０５  照度センサー
１０６  テレビ用アンテナ
１０７  テレビチューナモジュール
１０８  音声制御部
１０９  ＭＩＣ（マイク）
１１０  ＲＥＣ（レシーバ）
１１１  ＳＰＫ（スピーカ）
１１２  入力部
１１３  表示部
１１４  電源制御部
１１５  電池
１１６  タイマ
【図１】
2014017874.tif 000003
【図２】
2014017874.tif 000004
【図３】
2014017874.tif 000005